(57)【要約】【課題】  構造が簡単で、被移動体を裏返したり特別な機構を付加けることなく容易に着脱使用することができる着脱可能なキャスタ装置を提供することを目的とする。【解決手段】  被移動体５０に取り付けて使用する着脱可能なキャスタ装置１、２、３、４、５であって、被移動体５０に着脱自在に取り付けられる保持体１０と、保持体１０に、テコの機構における支点として機能する支点軸２５によって軸支された操作レバー２０と、操作レバー２０の下端部側であってテコの機構における作用点として機能する位置に配置されたローラ部材３０と、保持体１０を被移動体５０に固定した状態でテコの機構における力点となる操作レバー２０の上部側を引き起こし、ローラ部材３０の回転中心３３が少なくとも支点軸２５を通る鉛直線を越える位置に至ったところでそれ以上操作レバー２０が可動することを阻止するストッパ１７とを備えて構成されてなる。【選択図】  図１
2010047133.tif 000002
【特許請求の範囲】
【請求項１】
被移動体に取り付けて使用する着脱可能なキャスタ装置であって、
前記被移動体に着脱自在に取り付けられる保持体と、
前記保持体に、テコの機構における支点として機能する支点軸によって軸支された操作レバーと、
前記操作レバーの下端部側であってテコの機構における作用点として機能する位置に配置されたローラ部材と、
前記保持体を被移動体に固定した状態でテコの機構における力点となる前記操作レバーの上部側を引き起こし、前記ローラ部材の回転中心が少なくとも前記支点軸を通る鉛直線を越える位置に至ったところでそれ以上当該操作レバーが可動することを阻止するストッパと、
を備えて構成されてなることを特徴とする着脱可能なキャスタ装置。
【請求項２】
請求項１に記載のキャスタ装置において、
前記保持体は、被移動体への取り付けを確実にするための固定手段を備えていることを特徴とする着脱可能なキャスタ装置。
【請求項３】
請求項２に記載のキャスタ装置において、
前記保持体はコの字状に形成され、前記固定手段は被移動体を上から押圧することによって固定することを特徴とする着脱可能なキャスタ装置。
【請求項４】
請求項２又は３に記載のキャスタ装置において、
前記固定手段は、被移動手段の取り付け部分の厚みに応じて可変する調整機構を備えていることを特徴とする着脱可能なキャスタ装置。
【請求項５】
請求項２に記載の記載のキャスタ装置において、
前記保持体はＬ字状に形成され、前記固定手段は被移動体を横から支持することによって固定することを特徴とする着脱可能なキャスタ装置。
【請求項６】
請求項１から５のいずれか１項に記載の記載のキャスタ装置において、
前記操作レバーはＬ字状に形成されると共に、前記ローラ部材はＬ字状に形成された前記操作レバーの下側面に取り付けられていることを特徴とする着脱可能なキャスタ装置。
【請求項７】
請求項１から６のいずれか１項に記載の記載のキャスタ装置において、
前記ローラ部材が複数設けられていることを特徴とする着脱可能なキャスタ装置。
【発明の詳細な説明】
【技術分野】
【０００１】
本発明は、着脱可能なキャスタ装置に関し、さらに詳しくは、被移動体に着脱可能に取り付けることにより被移動体をズムーズに移動させることができる着脱可能なキャスタ装置に関する。
【背景技術】
【０００２】
着脱可能なキャスタ装置は種々のものが知られており、具体的には引用文献１に示すものがある。引用文献１に示されたキャスタ装置は、パレットの裏側に着脱可能に取り付けられるもので、パレットの裏側の四隅に、基板に取り付けられたキャスタの該基板を挿入するための挿入部が設けられており、基板を挿入部に挿入することによりキャスタが取り付けられるというものである。
【０００３】
また、引用文献２に示す着脱可能なキャスタは、キャスタが基板の下部に取り付けられていると共に、当該基板には被移動体である自動販売機やキャッシュディスペンサなどの自動取引機の下部に設けられた係合部に係合する係止部（突起部）を備えて形成されている。そして、係止部を係合部に係合させるようにして自動取引機の底面に取り付けて使用するというものである。
【０００４】
さらに、引用文献３に示す着脱可能なキャスタは、設置面側にアジャスタ及びキャスターが設けられたベースの上方が陳列領域として構成された陳列什器において、ベースは陳列什器の起立状態で設置面との間に手をアクセス可能な空間を備えた形状に設けられ、この空間内にキャスターの被取付部材を固定するとともに、被取付部材にキャスターを備えた保持板の外縁部分を係合可能とする少なくとも二以上の係合部と、保持板に設けられたボルト挿入穴に一致するボルト締結穴とを設けてキャスターを着脱自在とし、且つ、アジャスタが設置面側に伸長した状態でキャスターを浮上可能に設けたことを特徴としている。
【０００５】
また、引用文献４に示す着脱可能なキャスタは、載置ベースと、キャスター車と、摩擦抵抗面と、ストッパーと、引掛片とを備えて構成されており、引掛片を被支持物体に立設された柱のような起立部の下端に引っ掛けることによって受けキャスタの移動を防止するようにされている。
【０００６】
【特許文献１】特開平７−３２９９７０号公報
【特許文献２】実開平７−３０６５号公報
【特許文献３】特開２００１−６１８９９号公報
【特許文献４】特開２００１−１２９０３号公報
【発明の開示】
【発明が解決しようとする課題】
【０００７】
引用文献１に示す着脱可能なキャスタにあっては、キャスタを備えた基板を挿入するための挿入部がパレットの裏側に設けられているので、キャスタを着脱する場合にはパレットを裏返にしなければならず、例えば、ベッドやタンス又はキャビネットのような家具には適用することができないという問題がある。
【０００８】
また、引用文献２に示す着脱可能なキャスタにあっては、キャスタを備えた基板には予め被移動体である自動取引機の下部に設けられた係合部と係合する係止部を備えられており、そのような係止部が設けられていない物品には適用できないという問題がある。また、被移動体の底面に別途係合部を設けることも面倒であり、場合によってはそのような係合部を設けることができない場合も考えられる。
【０００９】
また、引用文献３に示す着脱可能なキャスタにあっては、ベースは陳列什器の起立状態で設置面との間に手をアクセス可能な空間を備えた形状に設けることが前提となっており、被移動体の底面の全面が床面と接触しており、手を入れることができるような空間がない場合には適用することができないという問題がある。
【００１０】
また、引用文献４に示す着脱可能なキャスタにあっては、引掛片を被移動体である被支持物体に立設された柱のような起立部の下端に引っ掛けることによって受けキャスタの移動を防止する構成であるため、例えばタンスやキャビネットのように起立部がないものには適用することができないという問題がある。
【００１１】
ところで、介護用のベッドなどの場合は、背上げ、脚上げ、ベッドの高さ調整を自動で行うための電動モータなどの駆動機構が備えられているため重量が８０〜１００ｋｇととても重く、わずかに移動させるにも困難を伴うことが多い。そのため、予めストッパ付きのキャスタを備えたものも提供されているが、要介護者がベッドから立ち上がるとき又はベッドに横になるときにベッドのサイドフレームを掴んだ際、ストッパのかけ忘れによりベッドが動きバランスを失って転倒するという事故が報告されている。そのため、介護用ベッドではキャスタを取り付けていないものが多い。従って、現状では人手を頼るしかなく、その移動には少なくとも２、３人の力を必要としていた。
【００１２】
そこで、本発明は上記の問題に鑑み、被移動体を裏返したり、特別な機構を付加けることなく着脱使用することが可能な着脱可能なキャスタ装置を提供することを目的とする。
【００１３】
また、本発明は、構造が簡単で、またその使用に際しても被移動体の形状如何に関わらず簡単に着脱することが可能な着脱可能なキャスタ装置を提供することを目的とする。
【課題を解決するための手段】
【００１４】
上記課題を解決するために請求項１に記載の発明は、被移動体に取り付けて使用する着脱可能なキャスタ装置であって、被移動体に着脱自在に取り付けられる保持体と、保持体に、テコの機構における支点として機能する支点軸によって軸支された操作レバーと、操作レバーの下端部側であってテコの機構における作用点として機能する位置に配置されたローラ部材と、保持体を被移動体に固定した状態でテコの機構における力点となる操作レバーの上部側を引き起こし、ローラ部材の回転中心が少なくとも支点軸を通る鉛直線を越える位置に至ったところでそれ以上当該操作レバーが可動することを阻止するストッパとを備えて構成されてなることを特徴とする。
【００１５】
上記課題を解決するために請求項２に記載の発明は、請求項１に記載のキャスタ装置において、保持体は、被移動体への取り付けを確実にするための固定手段を備えていることを特徴とする。
【００１６】
上記課題を解決するために請求項３記載の発明は、請求項２に記載のキャスタ装置において、保持体はコの字状に形成され、固定手段は被移動体を上から押圧することによって固定することを特徴とする。
【００１７】
上記課題を解決するために請求項４記載の発明は、請求項２又は３に記載のキャスタ装置において、固定手段は、被移動手段の取り付け部分の厚みに応じて可変する調整機構を備えていることを特徴とする。
【００１８】
上記課題を解決するために請求項５記載の発明は、請求項２に記載の記載のキャスタ装置において、保持体はＬ字状に形成され、固定手段は被移動体を横から支持することによって固定することを特徴とする。
【００１９】
上記課題を解決するために請求項６記載の発明は、請求項１から５のいずれか１項に記載の記載のキャスタ装置において、操作レバーはＬ字状に形成されると共に、ローラ部材はＬ字状に形成された操作レバーの下側面に取り付けられていることを特徴とする。
【００２０】
上記課題を解決するために請求項７記載の発明は、請求項１から６のいずれか１項に記載の記載のキャスタ装置において、ローラ部材が複数設けられていることを特徴とする。
【発明の効果】
【００２１】
以上のように、本発明に係る着脱可能なキャスタ装置によれば、被移動体の形状如何に関わらず簡単に着脱使用することができるという効果がある。特に、移動が困難な介護用ベッドなども１人で簡単に移動することができるという効果がある。
【００２２】
また、本発明に係る着脱可能なキャスタ装置によれば、被移動体の大きさや形状に応じて取り付ける位置や数を自由に配置することができるのでどのようなもにでも対応することができるという効果がある。
【発明を実施するための最良の形態】
【００２３】
以下、本発明に係る着脱可能なキャスタ装置について図面を参照しつつ説明する。図１は本発明に係る着脱可能なキャスタ装置の第一の実施形態の斜視図、図２はその正面図、図３は被移動体へ取り付けた状態を示す側面図、図４は被移動体を移動可能とした状態を示す側面図、図５は図４の正面図である。
【００２４】
図示された着脱可能なキャスタ装置１は、概略として、被移動体５０に着脱自在に取り付けられる保持体１０と、保持体１０に設けられた操作レバー２０と、操作レバー２０の下端部近傍に配置されたローラ部材３０と、操作レバー２０の可動を阻止するストッパ１７とを備えて構成されている。
【００２５】
保持体１０は、略コの字型に形成された部材であり、キャスタ装置１の本体を構成する。保持体１０は互いに平行且つ水平方向に位置する上面板部１３ａ及び下面板部１３ｂと、上面板部１３ａ及び下面板部１３ｂの端部をそれぞれ連結するようにして配置された側面板部１３ｃを備え、それによって概略コの字型が形成されている。上面板部１３ａと下面板部１３ｂとの間のコの字型の空間部は被移動体５０の一部を挿入するための挿入部１１となっている。保持体１０は、例えば、金属製平板を折り曲げることで簡単に形成することができるが、それ以外の方法によって製造することももちろん可能である。また、材質は金属製に限るものではないが、ある程度強度を備えた材質で形成することが好ましい。
【００２６】
挿入部１１は、被移動体５０床面近くにある縁部を受け入れて被移動体５０を持ち上げる部分である。そのため、上面板部１３ａ及び下面板部１３ｂは被移動体５０の縁部の突出長さや形状に即して適宜のサイズで形成することができる。尚、本実施形態では上面板部１３ａと下面板部１３ｂは略同じ長さとされているが両者を異なる長さで形成することも可能である。例えば、下面板部１３ｂを上面板部１３ａよりも長く形成するれば被移動体５０の支持安定性が向上する。
【００２７】
上面板部１３ａには固定部材４０が取り付けられている。固定部材４０は、上面板部１３ａを貫通するようにして挿通されたボルト４５と、被移動体５０に当接して被移動体５０をしっかりと保持する保持部材４３と、保持部材４３の固定及び解除を行う摘み部４１を備えて形成されている。摘み部４１を回すことにより保持部材４３が被移動体５０の縁部を押圧して挿入部１１内にしっかりと固定する。尚、上面板部１３ａの裏面側にはボルト４５に螺合してその上下移動を促すナット部材４６が取り付けられている。これにより、キャスタ装置１は被移動体５０に着脱自在に取り付けることができるようになっている。
【００２８】
保持体１０の側面板部１３ｃには支点軸２５を中心にして可動可能に軸支された操作レバー２０が取り付けられている。操作レバー２０は、テコの機構を形成するものであり、テコの機構における支点として機能する支点軸２５によって保持体１０に取り付けられている。また、操作レバー２０の下端部側であってテコの機構における作用点として機能する位置にローラ部材３０が配置されている。そして、操作レバーの上部側が、テコの機構における力点となっている。支点軸２５は、操作レバー２０を少なくとも水平状態にしたときにはローラ部材３０が下面板部１３ｂの最下端部よりも上方側に位置し、且つ、操作レバー２０を後述するストッパ１７に当接させた状態ではローラ部材３０は下面板部１３ｂよりも下方側に位置するように配置されている。これにより、操作レバー２０をストッパ１７に当接させた状態ではローラ部材３０が床面Ｇに接地して挿入部１１内に挿入された被移動体５０の縁部を支持しながら持ち上げた状態となる。従って、キャスタ装置１を被移動体５０へ取り付ける際にローラ部材３０が邪魔になることがない。尚、支点軸２５は、操作レバー２０を側面板部１３ｃに取り付けるためのボルト及びナットによって形成されている。また、操作レバー２０の長手方向の所定位置に支点軸２５を挿通するための図示しない孔を予め複数穿設しておき、支点軸２５の取り付け位置を適宜変更可能としておくことで下面板部１３ｂとローラ部材３０との高さ位置の調節を行うことができる。
【００２９】
ローラ部材３０は、回転軸３３を中心に回転するいわゆるタイヤ部材であり、回転軸３３によって操作レバー２０の下端部近傍に取り付けられている。尚、回転軸３３は、支点軸２５と同様にボルト及びナットによって形成され、それによって保持体１０に取り付けられている。
【００３０】
支点軸２５の近傍にはストッパ１７が取り付けられている。ストッパ１７は、支点軸２５を中心とする操作レバー２０の可動を阻止する部材である。すなわち、保持体１０を被移動体５０に固定した状態（図２及び図３に示す状態）でいわゆる力点となる操作レバー２０の上部側を引き起こし、ローラ部材３０の回転中心である回転軸３３の位置が少なくとも支点軸２５を通る鉛直線を越える位置に至ったところ（図４及び図５に示す状態）でストッパ１７に当接するようにすることでそれ以上の操作レバー２０の回動を阻止する。操作レバー２０がストッパ１７に当接した状態では、ローラ部材３０に被移動体５０の自重が作用しているので操作レバー２０が元へ戻る（図２及び図３に示す状態に戻る）ことはない。
【００３１】
次に、第二の実施形態におけるキャスタ装置２について説明する。図６は第二の実施形態におけるキャスタ装置２の側面図、図７はその正面図である。尚、上述の第一の実施形態における部材と同じものには同一の符号を付し、その説明は省略する。
【００３２】
図示されたキャスタ装置２は、保持体１０と、操作レバー２０と、ローラ部材３０と、固定部材４０を備えて構成されている。保持体１０は、上面板部１３ａと下面板部１３ｂを備え、その間に挿入部１１が形成されている。そして、側面板部１３ｃの端部には側面板部１３ｃが略直角方向に一体に形成され、この側面板部１３ｃが支持体１５に密着するようにして取り付けられている。支持体１５は、右側支持板部１５ａと、左側支持板部１５ｂと、左右の支持板部１５ａ、１５ｂを連結するようにして配置された支持板部１５ｃにより断面略コの字型に形成されている。図７に示すように、支持板部１５ｃの下端側は、略Ｌ字状に折り曲げられて下面板部１３ｂとなっている。
【００３３】
右側支持板部１５ａと左側支持板部１５ｂの間には操作レバー２０を可動させる支点軸２５が貫通するようにして配置されている。そして、図６に示すように、操作レバー２０の下部側が略直角に折り曲げられて形成され、この折り曲げ部２０ａにローラ部材３０が取り付けられている。そして、ローラ部材３０は、取付軸３５を中心に図６に示された矢印方向に自由に回転可能とされている。
【００３４】
一方、右側支持板部１５ａには、操作レバー２０の動きを規制するストッパ１７が設けられている。ストッパ１７は、摘み１７ａを回すことでボルト１７ｂを進出させ、それによって右側支持板部１５ａに形成された挿入孔１６にボルト１７ｂの先端側を挿通することにより操作レバー２０を固定するようになっている。
【００３５】
上述した第一の実施形態のキャスタ装置１と第二の実施形態のキャスタ装置２の使用方法について説明する。はじめに、被移動体５０の左右の側縁部にキャスタ装置１を取り付ける。キャスタ装置１の取り付けは、被移動体５０を僅かに持ち上げるか又は傾斜させて被移動体５０の縁部と床面Ｇとの間に下面板部１３ｂが挿入可能な隙間を作り、その隙間に下面板部１３ｂを差し込み、それによって挿入部１１に被移動体５０の縁部を挿入する。そして、摘み部４１を回して保持部材４３を被移動体５０にしっかりと密着させるようにして固定する。そして、キャスタ装置１を取り付けた側とは反対側の被移動体５０の側縁部にも同様にしてもう一つのキャスタ装置１を取り付ける
【００３６】
また、被移動体５０の正面側の縁部にはキャスタ装置２を取り付ける。キャスタ装置２の取り付けも基本的にキャスタ装置１の場合と大体同じである。すなわち、被移動体５０を僅かに持ち上げるか又は傾斜させて被移動体５０の正面側の縁部と床面Ｇとの間に下面板部１３ｂが挿入可能な隙間を作り、その隙間に下面板部１３ｂを差し込み、それによって挿入部１１に被移動体５０の縁部を挿入する。そして、摘み部４１を回して保持部材４３を被移動体５０にしっかりと密着させるようにして固定する。
【００３７】
被移動体５０へのキャスタ装置１、２の取り付けが完了したら、各キャスタ装置１、２の操作レバー２０の上部側を引いて、操作レバー２０が各キャスタ装置１、２のストッパ１７に当接するまで回動させることにより操作レバー２０を固定する。キャスタ装置１の場合は、操作レバー２０がストッパ１７に当接するまで操作レバー２０を可動させる。一方、キャスタ装置２の場合は、ストッパ１７のボルト１７ｂを挿入孔１６へ挿通することで操作レバー２０を固定する。このとき、操作レバー２０は「てこ」の原理により被移動体５０を持ち上げながらストッパ１７による停止位置まで至る。つまり、使用者が掴む操作レバー２０の位置が力点、支点軸２５が支点、ローラ部材３０が作用点という関係となる。これにより、使用者は僅かな力で被移動体５０を容易に持ち上げることができる。この操作を各キャスタ装置１、２について行うことにより被移動体５０は床面Ｇを離れ、各ローラ部材３０によって支持された状態となるので簡単に被移動体５０を移動させることができる。また、キャスタ装置２のローラ部材３０は取付軸３５を中心に回転可能とされており、それを被移動体５０の正面に取り付けているので容易に進行方向を変更することができる。尚、各キャスタ装置１、２の取り付け位置や順序は特に限定されるものではなく、適宜に使用可能である。
【００３８】
次に、第三の実施形態におけるキャスタ装置３について説明する。図８は第三の実施形態におけるキャスタ装置２の側面図、図９はその正面図である。尚、上述の第一及び第二の実施形態における部材と同じものには同一の符号を付し、その説明は省略する。
【００３９】
図示されたキャスタ装置３は、キャスタ装置３は、第二の実施形態のキャスタ装置２にローラ部材３０を２つ設けたものとして構成されている。すなわち、キャスタ装置３は、保持体１０と、支持体１５と、操作レバー２０と、ローラ部材３０と、固定部材４０を備えて構成されており、２つのローラ部材３０、３０は連結部材３６によって取り付けられている。また、図８に示すように、操作レバー２０も２つ設けられており、２つの操作レバー２０、２０は連結ボルト２７によって連結されている。
【００４０】
さらに、支持板部１５ｃには、固定ボルト１８を挿入するためのボルト孔１９が上下方向に渡って２列３段に設けられている。一方、側面板部１３ｃには固定ボルト１８を挿入するためのボルト孔１３ｄが上下方向に渡って２列２段に設けられている。これにより、支持板部１５ｃに対する側面板部１３ｃの取り付け位置を上下方向に適宜変更することができるようになっている。その結果、被移動体５０の縁部の高さ（厚み）に応じて支持体１５に対する保持体１０の取り付け位置を変更することで種々の被移動体５０に対応してキャスタ装置３を取り付けることが可能となる。
その他の構成は、前述した第二の実施形態であるキャスタ装置２とほぼ同様であるため詳しい説明は省略する。
【００４１】
次に、第四の実施形態におけるキャスタ装置４について説明する。図１０は第四の実施形態におけるキャスタ装置４の正面図、図１１はその側面図である。尚、上述の第一〜第三の実施形態における部材と同じものには同一の符号を付し、その説明は省略する。
【００４２】
図示されたキャスタ装置４は、保持体１０と、操作レバー２０と、操作レバー２０の下端部に配置されたローラ部材３０と、操作レバー２０の可動を阻止するストッパ１７とを備えて構成されている。
【００４３】
保持体１０は、被移動体５０の底面と床面Ｇとの間に挿入されて被移動体５０の底面を支持する下面板部１３ｂと、下面板部１３ｂの端部に直交するようにして配置された側面板部１３ｃを備え、さらに側面板部１３ｃの上部側には上方に伸びるようにして上面板部１３ａが配設されている。第一の実施形態のキャスタ装置１では上面板部１３ａは下面板部１３ｂと平行に配置されていたが、キャスタ装置４では上面板部１３ａは下面板部１３ｂと直交するようにして側面板部１３ｃの上方側に一体形成されており、保持体１０は略Ｌの字型に形成されている。これにより、挿入部１１を挿入可能な縁部を有しないような被移動体５０、例えば、キャビネットのように直方体のような外形形状を有する被移動体５０の底面と側面にそれぞれ下面板部１３ｂと側面板部１３ｃに密着させることによって被移動体５０を保持するようになっている。
【００４４】
また、キャスタ装置４の保持体１０の上面板部１３ａには、被移動体５０の側面に吸着し、下面板部１３ｂに支持された被移動体５０と密着する吸盤部材６０が設けられている。吸盤部材６０は、図１１に示すように、摘み部６１と、吸盤６３と、摘み部６１を回すことで吸盤６３を押圧するネジ部材６５を備えて形成されている。これにより、被移動体５０の側面を側面板部１３ｃに密着させつつ下面板部１３ｂで被移動体５０の底面を支持した後、さらに摘み部６１を回して吸盤６３を被移動体５０の側面に吸着させる。これにより、被移動体５０はしっかりと保持体１０に支持される。
【００４５】
次に、第五の実施形態におけるキャスタ装置５について説明する。図１２は第五の実施形態におけるキャスタ装置５の正面図、図１３はその側面図である。尚、上述の第一〜第四の実施形態における部材と同じものには同一の符号を付し、その説明は省略する。
【００４６】
図示されたキャスタ装置５は、前述した第四の実施形態のキャスタ装置４とっほぼ同様の構成を備えており、吸盤部材６０の代わりに磁石７０を用いたものである。被移動体５０が磁気に吸着する鉄などの金属製材料によって形成されたものである場合、磁石７０によってその側面を有効に保持することができる。尚、本実施形態では磁石７０は永久磁石を用いたが、スイッチによってＯＮ／ＯＦＦ可能な電磁石を用いることもできる。その他の構成についてはほぼキャスタ装置４と同様なのでその説明は省略する。
【００４７】
次に、図１４に示すのは、キャスタ装置３を図示しない介護用ベッドの下部フレームＦに取り付けた状態を示している。
先に説明したように、介護用ベッドは、背上げ、脚上げ、ベッドの高さ調整を自動で行うための電動モータなどの駆動機構が備えられているため重量が８０〜１００ｋｇととても重く、わずかに移動させるにも困難を伴うことが多い。しかも危険防止のためキャスタを取り付けていないものが多く、僅かに移動させるだけでも少なくとも２、３人の力を必要としていた。そこで、図示しない介護ベッドの下部フレームＦにキャスタ装置４を４つ取り付けることで容易に移動させることができ、しかも移動が完了した後にキャスタ装置４は取り外されるので意図しない動きによる要介護者の転倒事故などを引き起こすこともない。ここで、介護ベッドの下部フレームＦの高さ位置は各メーカによって様々であるが、床面Ｇからの高さは概ね約５０ｍｍ〜１００ｍｍで、下部フレームＦの高さ幅（厚み）も約６０ｍｍ〜８０ｍｍとなっている。そのため、そのようなサイズの下部フレームＦに取り付けることがきるように固定ボルト１８を挿入するためのボルト孔１９及びボルト孔１３ｄの位置を調整をして形成し、上面板部１３ａの取り付けば位置を適宜変更することで各メーカーの介護用ベッドに適用できるようにすることが可能となる。これにより、面倒で困難であった介護用ベッドの移動もキャスタ装置４によって容易に行うことができる。
【００４８】
以上のように、本発明の好ましい各実施形態について詳述したが、本発明は係る特定の実施形態に限定されるものではなく、特許請求の範囲に記載された本発明の要旨の範囲内において、種々の変形・変更が可能であることはいうまでもない。
【図面の簡単な説明】
【００４９】
【図１】本発明に係る着脱可能なキャスタ装置の第一の実施形態の斜視図である。
【図２】図２の正面図である
【図３】キャスタ装置を被移動体へ取り付けた状態を示す側面図である。
【図４】被移動体を移動可能とした状態を示す側面図である。
【図５】図４に示すキャスタ装置の正面図である。
【図６】第二の実施形態におけるキャスタ装置の側面図である。
【図７】図６のキャスタ装置の正面図である。
【図８】第三の実施形態におけるキャスタ装置の側面図である。
【図９】図８のキャスタ装置の正面図である
【図１０】第四の実施形態におけるキャスタ装置４の正面図である。
【図１１】図１０のキャスタ装置の側面図である。
【図１２】第五の実施形態におけるキャスタ装置の正面図である。
【図１３】図１２のキャスタ装置の側面図である。
【図１４】第三の実施形態のキャスタ装置を介護用ベッドの下部フレームに取り付けた状態を示す図である。
【符号の説明】
【００５０】
１、２、３、４、５      キャスタ装置
１０      保持体
１１      挿入部
１５      支持体
１６      挿入孔
１７      ストッパ
１８      固定ボルト
１９      ボルト孔
２０      操作レバー
２５      支点軸
３０      ローラ部材
３３      回転軸
３５      取付軸
３６      連結部材
４０      固定部材
４１      摘み部
４３      保持部材
４５      ボルト
５０      被移動体
６０      吸盤部材
７０      磁石
Ｇ      床面
Ｆ      下部フレーム
【図１】
2010047133.tif 000003
【図２】
2010047133.tif 000004
【図３】
2010047133.tif 000005
【図４】
2010047133.tif 000006
【図５】
2010047133.tif 000007
【図６】
2010047133.tif 000008
【図７】
2010047133.tif 000009
【図８】
2010047133.tif 000010
【図９】
2010047133.tif 000011
【図１０】
2010047133.tif 000012
【図１１】
2010047133.tif 000013
【図１２】
2010047133.tif 000014
【図１３】
2010047133.tif 000015
【図１４】
2010047133.tif 000016
【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
被移動体に取り付けて使用する着脱可能なキャスタ装置であって、
前記被移動体への取り付けを確実にするための固定手段を備えた当該被移動体に着脱自在に取り付けられる保持体と、
前記保持体に、テコの機構における支点として機能する支点軸によって軸支された操作レバーと、
前記操作レバーの下端部近傍であってテコの機構における作用点として機能する位置に配置されたローラ部材と、
前記保持体に取り付けられ、前記保持体を被移動体に固定した状態でテコの機構における力点となる前記操作レバーの上部側を引き起こし、前記ローラ部材の回転中心が少なくとも前記支点軸を通る鉛直線を越える位置に至ったところで前記操作レバーと当接してそれ以上当該操作レバーが可動することを阻止するストッパと、
を備え、
前記支点軸は、前記操作レバーを水平状態にしたときには前記ローラ部材が前記保持体の最下端部よりも上方に位置し、前記操作レバーを前記ストッパに当接させた状態では前記ローラ部材は前記保持体の最下端部よりも下方に位置するように配置されていることを特徴とする着脱可能なキャスタ装置。
【請求項２】
請求項１に記載のキャスタ装置において、
前記保持体はコの字状に形成され、前記固定手段は被移動体を上から押圧することによって固定することを特徴とする着脱可能なキャスタ装置。
【請求項３】
請求項１又は２に記載のキャスタ装置において、
前記固定手段は、被移動手段の取り付け部分の厚みに応じて可変する調整機構を備えていることを特徴とする着脱可能なキャスタ装置。
【請求項４】
請求項１に記載の記載のキャスタ装置において、
前記保持体はＬ字状に形成され、前記固定手段は被移動体を横から支持することによって固定することを特徴とする着脱可能なキャスタ装置。
【請求項５】
請求項１から４のいずれか１項に記載の記載のキャスタ装置において、
前記操作レバーはＬ字状に形成されると共に、前記ローラ部材はＬ字状に形成された前記操作レバーの下側面に取り付けられていることを特徴とする着脱可能なキャスタ装置。
【請求項６】
請求項１から５のいずれか１項に記載の記載のキャスタ装置において、
前記ローラ部材が複数設けられていることを特徴とする着脱可能なキャスタ装置。
【手続補正２】
【補正対象書類名】明細書
【補正対象項目名】００１４
【補正方法】変更
【補正の内容】
【００１４】
上記課題を解決するために請求項１に記載の発明は、被移動体に取り付けて使用する着脱可能なキャスタ装置であって、被移動体への取り付けを確実にするための固定手段を備えた被移動体に着脱自在に取り付けられる保持体と、保持体に、テコの機構における支点として機能する支点軸によって軸支された操作レバーと、操作レバーの下端部近傍であってテコの機構における作用点として機能する位置に配置されたローラ部材と、保持体に取り付けられ、保持体を被移動体に固定した状態でテコの機構における力点となる操作レバーの上部側を引き起こし、ローラ部材の回転中心が少なくとも支点軸を通る鉛直線を越える位置に至ったところで操作レバーと当接してそれ以上操作レバーが可動することを阻止するストッパとを備え、支点軸は、操作レバーを水平状態にしたときにはローラ部材が保持体の最下端部よりも上方に位置し、操作レバーをストッパに当接させた状態ではローラ部材は保持体の最下端部よりも下方に位置するように配置されていることを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
上記課題を解決するために請求項２記載の発明は、請求項１に記載のキャスタ装置において、保持体はコの字状に形成され、固定手段は被移動体を上から押圧することによって固定することを特徴とする。
【手続補正５】
【補正対象書類名】明細書
【補正対象項目名】００１７
【補正方法】変更
【補正の内容】
【００１７】
上記課題を解決するために請求項３記載の発明は、請求項１又は２に記載のキャスタ装置において、固定手段は、被移動手段の取り付け部分の厚みに応じて可変する調整機構を備えていることを特徴とする。
【手続補正６】
【補正対象書類名】明細書
【補正対象項目名】００１８
【補正方法】変更
【補正の内容】
【００１８】
上記課題を解決するために請求項４記載の発明は、請求項１に記載の記載のキャスタ装置において、保持体はＬ字状に形成され、固定手段は被移動体を横から支持することによって固定することを特徴とする。
【手続補正７】
【補正対象書類名】明細書
【補正対象項目名】００１９
【補正方法】変更
【補正の内容】
【００１９】
上記課題を解決するために請求項５記載の発明は、請求項１から４のいずれか１項に記載の記載のキャスタ装置において、操作レバーはＬ字状に形成されると共に、ローラ部材はＬ字状に形成された操作レバーの下側面に取り付けられていることを特徴とする。<BR>
【手続補正８】
【補正対象書類名】明細書
【補正対象項目名】００２０
【補正方法】変更
【補正の内容】
【００２０】
上記課題を解決するために請求項６記載の発明は、請求項１から５のいずれか１項に記載の記載のキャスタ装置において、ローラ部材が複数設けられていることを特徴とする。